(57)【要約】【課題】表示装置の大型化にでき得る限り対応できるようにしたパチンコ遊技機を提供する。【解決手段】遊技盤３面の遊技部３ａに表示装置１２と、遊技球が入賞することにより表示装置１２の表示部１２ａの情報を変動させる始動入賞口１３と、表示部１２ａの停止したときの情報が特定の組合せに揃い特別遊技状態になったとき一度に多くの入賞球が得られる入賞装置１４と、アウト球口４７とを装着してなり、遊技部３ａ中央の最下部に内側ガイドレール１１ｂの内側面にほぼ接するようにして入賞装置１４を配置し、その両側方に同じく内側ガイドレール１１ｂの内側面にほぼ接するようにしてアウト球口４７を配置するようにした。【選択図】図２
2006314444.tif 000002
【特許請求の範囲】
【請求項１】
遊技盤面に敷設されたガイドレールにより囲われる遊技部に表示装置と、遊技球が入賞することにより前記表示装置の表示部の情報を変動させる始動入賞口と、前記表示部の情報が変動を停止しその停止したときの情報が特定の組合せに揃い遊技者にとって有利な特別遊技状態になったとき一度に多くの入賞球が得られるようにした入賞装置と、アウト球を排出するアウト球口とを装着してなるパチンコ遊技機であって、
前記遊技部中央の最下部に前記ガイドレールの内側面にほぼ接するようにして前記入賞装置を配置し、その両側方に同じくガイドレールの内側面にほぼ接するようにして前記アウト球口を配置するようにしたことを特徴とするパチンコ遊技機。
【請求項２】
前記遊技部の両側であって前記ガイドレールの内側に近接させて複数の入賞口と複数のアウト口とを交互に設けた請求項１記載のパチンコ遊技機。
【発明の詳細な説明】
【技術分野】
【０００１】
この発明は、遊技盤面に装着される表示装置の情報が特定の組合せに揃い遊技者にとって有利な特別遊技状態になったとき一度に多くの入賞球が得られるようにしたパチンコ遊技機に関するものである。
【背景技術】
【０００２】
従来、この種遊技盤面に敷設された略円形状のガイドレールにより囲われる遊技部に表示装置と、遊技球が入賞することにより前記表示装置の表示部の情報を変動させる始動入賞口と、前記表示部の情報が変動を停止しその停止したときの情報が特定の組合せに揃い遊技者にとって有利な特別遊技状態になったとき一度に多くの入賞球が得られるようにした入賞装置と、アウト球を排出するアウト球口とを装着してなるパチンコ遊技機が好評を博している。
【０００３】
前記パチンコ遊技機は、ガイドレールで囲われる遊技部のほぼ中央に表示装置が配置され、その下方に始動入賞口、更にその下方に入賞装置が配置される。そして、最下部にアウト球口がガイドレールの内側面に接するようにして配置されている。これら表示装置、始動入賞口、入賞装置及びアウト球口は縦一直線状に並んでいる（例えば、特許文献１参照。）。
【特許文献１】特開平２００１−３３４０２２号公報（第３−５頁、図２）
【発明の開示】
【発明が解決しようとする課題】
【０００４】
ところで、近時、遊技の興趣を高めるべく前記表示装置が大型化しその表示部が縦横共に広くなりつつあり、これに伴ってそれより下方に一直線上に並んでいた始動入賞口や入賞装置の設置スペースが狭くなっている。このため、始動入賞口や表示装置の大きさや形状をコンパクトにすることにより対応しているが、設置するに非常に苦慮しているのが現状である。
【０００５】
そこで、本発明は上記課題を解決すべくなされたもので、表示装置の大型化にでき得る限り対応できるようにしたパチンコ遊技機を提供することを目的とするものである。
【課題を解決するための手段】
【０００６】
かかる目的を達成するため本発明に係るパチンコ遊技機は、遊技盤面に敷設されたガイドレールにより囲われる遊技部に表示装置と、遊技球が入賞することにより前記表示装置の表示部の情報を変動させる始動入賞口と、前記表示部の情報が変動を停止しその停止したときの情報が特定の組合せに揃い遊技者にとって有利な特別遊技状態になったとき一度に多くの入賞球が得られるようにした入賞装置と、アウト球を排出するアウト球口とを装着してなるパチンコ遊技機であって、前記遊技部中央の最下部に前記ガイドレールの内側面にほぼ接するようにして前記入賞装置を配置し、その両側方に同じくガイドレールの内側面にほぼ接するようにして前記アウト球口を配置するようにした構成からなる。
【０００７】
また、この際、前記遊技部の両側であって前記ガイドレールの内側に近接させて複数の入賞口と複数のアウト口とを交互に設けるようにすることが好ましい。
【発明の効果】
【０００８】
本発明に係るパチンコ遊技機は、遊技部中央の最下部にガイドレールの内側面にほぼ接するようにして入賞装置を配置し、その両側方に同じくガイドレールの内側面にほぼ接するようにしてアウト球口を配置するようにしたので、アウト球口の分まで入賞装置を下げることができ、しかも、入賞装置はガイドレールの内側面にほぼ接するように配置される。よって、これにより表示装置下方の遊技盤面に空きスペースができ、その分表示装置の大型化、すなわちその表示部の大型化が可能になるという効果がある。
【０００９】
また、前記遊技部の両側であってガイドレールの内側に近接させて複数の入賞口と複数のアウト口とを交互に設けるようにすれば、表示装置の大型化を邪魔するようなことはなく、しかも変化に富んだ盤面ゲージが可能となり、遊技の興趣を一段と高めることができる。
【発明を実施するための最良の形態】
【００１０】
以下、本発明に係るパチンコ遊技機の実施の形態を図面に基づき説明する。図１は本発明が適用されるパチンコ遊技機の正面図である。パチンコ遊技機Ｐは、外側に木製の外枠１を有し、その前面に前面枠２が一側を軸着して開閉自在に装着される。前記前面枠２には遊技盤３が設置される。
【００１１】
前記前面枠２の前面には、その上部に前記遊技盤３の前面を覆う透明板保持枠４が自在に開閉するように配置される。該透明板保持枠４は合成樹脂材により成形され、中央に窓開口５が開設される。該窓開口５に該窓開口５を塞ぐようにして透明板であるガラス板６が取着される。そして、この窓開口５を介して前記遊技盤３の遊技部３ａ前面が視認できるようになっている。
【００１２】
また、前記前面枠２の前面であって透明板保持枠４の下方に、前板７が自在に回動するように軸着される。この前板７の前面には、打球発射位置（図示せず。）へ供給される遊技球を貯留する打球供給皿８が装着される。前面枠２の下部前面に前記打球供給皿８から溢れたパチンコ球を貯留する余剰球受皿９が装着される。また、その一側に、自在に回動して打球の打撃力を調節することができる操作ハンドル１０が設けられている。
【００１３】
図２に示すように、前記遊技盤３の前面には、渦巻状に敷設された内側・外側ガイドレール１１ａ，１ｂに囲われて遊技部３ａが成形される。該遊技部３ａには、その中央に位置して数字、図柄等の情報を変動表示する大型の表示装置１２、遊技球の入賞によって前記情報を変動させる始動入賞口１３が装着される。また、その下方に、前記表示装置１２の情報が特定の表示（例えば、「７７７」）に揃ったとき、一定の条件で一度に多くの入賞球が得られる入賞装置１４が装着されている。更に、遊技部３ａの両側であって内側ガイドレール１１ｂの内側に近接させて複数のアウト口１５と複数の入賞口１６とを交互に設けた入賞口部材１７が装着されている。
【００１４】
図３乃至図６に示すように前記入賞装置１４は、下部が両横に長く中央部が上方にせり上がる取付板１８を有し、遊技部３ａ中央の最下部に前記取付板１８の下縁が内側ガイドレール１１ｂの内側面にほぼ接するようにして配置される。そして、取付板１８の中央部の最上位置に前記始動入賞口１３が設けられ、その下方にＶ入賞口１９が設けられ、最下部に大入賞口２０が設けられている。
【００１５】
前記始動入賞口１３は取付板１８の前面に該取付板１８に開設された第一球入口２１の前面を囲うようにして上面が開放される第一ポケット部２２を設けて構成され、取付板１８の後側に前記第一球入口２１と連通する第一球通路２３が設けられる。該第一球通路２３の流下端部に入賞球を検出する球検出器２４が配置されている。
【００１６】
Ｖ入賞口１９は、取付板１８の前面に該取付板１８に開設された第二球入口２５の前面を囲うようにして上面と両側面が開放される第二ポケット部２６を設けてなり、その両側に遊技球が入賞し得ない起立位置と遊技球が入賞し得る逆八の字状の傾動位置とに変換可能な一対の開閉片２７，２７を有する。また、取付板１８の後側に前記第二球入口２５と連通する第二球通路２８が設けられ、該第二球通路２８の流下端部に入賞球を検出する球検出器２９が配置されている。
【００１７】
取付板１８の後側であって第二球入口２５の後方上部に前後方向へ進退動するプランジャー３０を備えたソレノイド３１が配置される。また、各開閉片２７とソレノイド３１との間に位置して鉛直面内で回動するクランク部材３２がそれぞれ軸装され、各クランク部材３２の基端側のピン３３がプランジャー３０の後端部に係合し、各先端の二股状部３４が各開閉片２７の後面から後方へ突設されるピン３５に係合している。
【００１８】
そこで、ソレノイド３１が消磁しているときは、プランジャー３０が後側に後退し両クランク部材３２，３２が先端を上げて両開閉片２７，２７を起立位置に保持し、遊技球が入賞し得ないようにしている。一方、ソレノイド３１が励磁すると、プランジャー３０が前側へ前進し両クランク部材３２，３２が先端を下げて両開閉片２７，２７を逆八の字状の傾動位置に保持し、遊技球が入賞し得るようにしている。
【００１９】
大入賞口２０は、取付板１８の前面に該取付板１８に開設された第三球入口３６の前面を囲うようにして上面と両側面が開放される第三ポケット部３７を設けてなり、その両側に遊技球が入賞し得ない起立位置と遊技球が入賞し得る逆八の字状の傾動位置とに変換可能な一対の開閉片３８，３８を有する。また、取付板１８の後側に前記第三球入口３６と連通する第三球通路３９が設けられ、該第三ポケット部３７内に入賞球を検出する球検出器４０が配置されている。
【００２０】
取付板１８の後側であって第三球入口３６の後方上部に前後方向へ進退動するプランジャー４１を備えたソレノイド４２が配置される。また、各開閉片３８とソレノイド４２との間に位置して鉛直面内で回動するクランク部材４３がそれぞれ軸装され、各クランク部材４３の基端側のピン４４がプランジャー４１の後端部に係合し、各先端の二股状部４５が各開閉片３８の後面から後方へ突設されるピン４６に係合している。
【００２１】
そこで、前記と同様にソレノイド４２が消磁しているときは、プランジャー４１が後側に後退し両クランク部材４３，４３が先端を上げて両開閉片３８，３８を起立位置に保持し、遊技球が入賞し得ないようにしている。一方、ソレノイド４２が励磁すると、プランジャー４１が前側へ前進し両クランク部材４３，４３が先端を下げて両開閉片３８，３８を逆八の字状の傾動位置に保持し、遊技球が入賞し得るようにしている。
【００２２】
前記取付板１８の下部であって大入賞口２０の両側方に内側ガイドレール１１ｂの内側面にほぼ接するようにしてアウト球口４７，４７が開設されている。ただ、大入賞口２０と各アウト球口４７，４７との間には、内側ガイドレール１１ｂとは別に上面が各アウト球口４７，４７側へ下傾する傾斜板部４８，４８が張設される。これは、もし各傾斜板部４８，４８が無いと、大入賞口２０と各アウト球口４７，４７との間が一番低くなる関係上、アウトになった遊技球がすべてアウト球口４７，４７から排出されずにその部位に一部残ってしまうからである。
【００２３】
次に、一対の入賞口部材１７，１７について説明する。各入賞口部材１７は、左右対称形状をしているので、便宜上、一方の入賞口部材１７についてのみ説明し、他方の入賞口部材１７については同一部位に同一番号を付しておく。
【００２４】
入賞口部材１７は、図７、図８（イ）（ロ）に示すように、弧状に湾曲した取付基板４９を有し、その外側縁が内側ガイドレール１１ｂの内側面に合致するようになっている。そして、上部から下部に亘り上面で開口するポケット状のアウト口１５と同じくポケット状の入賞口１６とが前記ガイドレール１１ｂの内側に近接させて交互に２個ずつ設けられている。更に詳しく説明すると、各アウト口１５と各入賞口１６との上面と内側ガイドレール１１ｂ内面との間隔は、それぞれ遊技球の直径寸法未満に設定される。各入賞口１６には内部に入賞球を検出するための球検出器５０が配置される。
【００２５】
取付基板４９の後側に各アウト口１５と連通する球排出通路５１が設けられる。これら球排出通路５１は遊技盤３の後側に導かれている。同様に、取付基板４９の後側に各入賞口１６と連通する第四球通路５２が設けられる。入賞装置１４にあっては、取付板１８に始動入賞口１３、Ｖ入賞口１９、大入賞口２０をそれぞれ一体に設けたが、これらを分断して別個の取付板に設けるようにしても良い。同様に、入賞口部材１７にあっても、アウト口１５と入賞口１６とをそれぞれ別個の取付基板に設けるようにしても良い。
【００２６】
本発明に係るパチンコ遊技機Ｐは上記構成からなり、遊技部３ａに遊技球が打ち込まれることになる。そして、例えば始動入賞口１３に遊技球が入賞すると、表示装置１２の表示部１２ａの情報が変動する。そして、その情報が変動を停止しその停止したときの情報が特定の組合せ（例えば「７７７」）に揃い遊技者にとって有利な特別遊技状態になったとき、両ソレノイド３１，４２が励磁してＶ入賞口１９と大入賞口２０の両開閉片２７，２７，３８，３８が逆ハの字状に傾動する。
【００２７】
そこで、Ｖ入賞口１９と大入賞口２０とに遊技球が入賞し得ることになるが、これらに合わせて１０個の遊技球が入賞するかまたは所定時間経過すると、Ｖ入賞口１９と大入賞口２０が共に閉じる。その間、Ｖ入賞口１９に少なくとも１個の遊技球が入賞すると前記遊技球が１０個入賞するか所定時間経過後に再びＶ入賞口１９と大入賞口２０が開く。この動作は、前記Ｖ入賞口１９に遊技球が入賞することを条件に規定の回数（例えば１６回）繰返され多くの遊技球を入賞させる。ただ、前記Ｖ入賞口１９は原則として遊技球が１個入賞するとソレノイド３１が消磁して閉じるようになっている。前記規定の回数が終了すれば、ソレノイド４２が消磁して両開閉片３８，３８が遊技球を入賞させない元の起立位置に復帰して閉じる。
【００２８】
前記始動入賞口１３に入賞した入賞球は、第一球入口２１を介して第一球通路２３を流下し、球検出器２４に検出されてその流下端から下方へ排出される。また、Ｖ入賞口１９に入賞した入賞球は第二球入口２５を介して第二球通路２８を流下し、球検出器２９により検出されその流下端から下方へ排出される。更に、大入賞口２０に入賞した入賞球は、第三球入口３６を介して第三球通路３９を流下し、球検出器４０により検出されてその流下端から下方へ排出される。
【００２９】
各入賞口部材１７の入賞口１６に遊技球が入賞すると、球検出器５０により検出されると共に第四球通路５２を流下してその流下端から下方へ排出される。一方、アウト口１５に遊技球が入ると、アウト球として処理され、そのまま球排出通路５１を介してその流下端から下方へ排出される。このように、本来のアウト球口４７とは別個に遊技球が流下する途中でアウト口１５が設けられることにより、意外性が発揮され、遊技の興趣を増すことができる。なお、前記アウト口１５にはその役割を明確に知らせるため「アウト」の表示を付すことが望ましい。
【００３０】
始動入賞口１３、大入賞口２０等に入賞しなかった遊技球またはアウト口１５に入らなかった入賞球は、最終的に最下部のアウト球口４７に入りアウト球として遊技盤３の後側へ排出されることになる。
【００３１】
以上のように本発明は、遊技部３ａ中央の最下部に内側ガイドレール１１ｂの内側面にほぼ接するようにして入賞装置１４を配置し、その両側方に同じく内側ガイドレール１１ｂの内側面にほぼ接するようにしてアウト球口４７を配置するようにしたので、アウト球口４７の分まで入賞装置１４を下げることができる。しかも、入賞装置１４は内側ガイドレール１１ｂの内側面にほぼ接するように配置される。よって、これにより表示装置１４下方の遊技盤３面に空きスペースができ、その分表示装置１４の大型化、すなわちその表示部１４ａの大型化が可能になる。
【図面の簡単な説明】
【００３２】
【図１】本発明が適用されるパチンコ遊技機の正面図。
【図２】同遊技盤の拡大正面図。
【図３】入賞装置の前から見た斜視図。
【図４】同後から見た斜視図。
【図５】同正面断面図。
【図６】同側面断面図。
【図７】入賞口部材の前から見た斜視図。
【図８】（イ）はアウト口部位の側面断面図、（ロ）は入賞口部位の側面断面図。
【符号の説明】
【００３３】
３                      遊技盤
３ａ                    遊技部
１１ａ                  外側ガイドレール
１１ｂ                  内側ガイドレール
１２                    表示装置
１２ａ                  表示部
１３                    始導入賞口
１４                    入賞装置
４７                    アウト球口
Ｐ                      パチンコ遊技機
【図１】
2006314444.tif 000003
【図２】
2006314444.tif 000004
【図３】
2006314444.tif 000005
【図４】
2006314444.tif 000006
【図５】
2006314444.tif 000007
【図６】
2006314444.tif 000008
【図７】
2006314444.tif 000009
【図８】
2006314444.tif 000010